(57)【要約】【課題】フォークリフトによる運搬性を損なうことなく、安全にベルトもしくはロープによる高層階等への吊り上げ搬入が可能となる空気調和機の室外ユニットを提供する。【解決手段】筐体（室外ユニット１）下部にフォークリフトのフォークリフト爪８を挿入する挿入口７ａを有した一対の脚７を備え、前記挿入口の周縁上部に複数の溝部７ｂを設けたことで、重心位置に合わせて溝部７ｂを選択することができ、ロープ９にて吊り上げ時に筐体が傾くことなく安全かつ容易に運搬することが可能となる。【選択図】図１
2010190436.tif 000002
【特許請求の範囲】
【請求項１】
筐体下部にフォークリフトのフォークリフト爪を挿入する挿入口を有した一対の脚を備え、前記挿入口の周縁上部に複数の溝部を形成したことを特徴とする空気調和機の室外ユニット。
【請求項２】
前記複数の溝部は、外側に位置するに従い徐々に溝深さを深くなるように形成したことを特徴とする請求項１に記載の空気調和機の室外ユニット。
【請求項３】
前記複数の溝部は、前記脚の外側に位置するに従い前記溝部の底部を前記脚の内側に向かって傾斜して形成したことを特徴とする請求項１または２に記載の空気調和機の室外ユニット。
【発明の詳細な説明】
【技術分野】
【０００１】
本発明は空気調和機の室外ユニットに関するもので、より詳細には運搬中の空気調和機の破損を防止する構造に関するものである。
【背景技術】
【０００２】
近年、大能力タイプのルームエアコンの室外ユニットや業務用などで使用される大能力タイプのパッケージエアコンの室外ユニットでは、大型化に伴う製品重量の増加により、空気調和機本体の運搬性を向上させるためにフォークリフトによる運搬が可能な開口部が設けられ、ビルの屋上等高層階への搬入の際は、その開口部にベルトやロープを通して吊り上げ搬入が可能な構成となっている（例えば、特許文献１参照）。
【０００３】
以下に、従来の空気調和機の室外ユニットの構成を図５を用いて説明する。
【０００４】
図５において、空気調和機の室外ユニット１は、天板２と前板３、側板４からなる外箱５及び底板６で形成され、内部にファン、電源板、熱交換器、圧縮機等が（いずれも図示せず）が配設されている。底板６の下面には前後に室外ユニット１を支える一対の脚７が設けられ、この脚７は、室外ユニット１の奥行き方向に運搬のためのフォークリフト爪８を挿入するフォークリフト爪挿入口７ａが形成されている。また、フォークリフト爪挿入口７ａの周縁両側端部には、室外ユニット１を吊り上げるベルトもしくはロープを引っ掛け可能な溝部７ｂを形成している。
【０００５】
以上のように構成された空気調和機の室外ユニットにおいて、フォークリフトにより室外ユニット１を運搬する際は、フォークリフト爪８を脚７に形成したフォークリフト爪挿入口７ａに挿入し室外ユニット１を持ち上げる。次にビルの屋上等高層階への搬入の際は、フォークリフト爪挿入口７ａにベルトもしくはロープ９を通し室外ユニット１を吊り上げるが、この時ベルトもしくはロープ９を溝部７ｂに引っ掛けることでベルトもしくはロープ９がそれぞれ左右にずれることが無く吊下げ作業が容易に短時間で行うことが可能となる。
【特許文献１】特開２００５−２６５２３８号公報
【発明の開示】
【発明が解決しようとする課題】
【０００６】
しかしながら上記従来の空気調和機の室外ユニットの構成では、室外ユニット１の重心位置が中央部にある場合は安定して吊り上げることができるものの、左右どちらかにずれていた場合には吊り上げ時に室外ユニット１が左右に傾いてしまい最悪の場合室外ユニット１が倒れてしまう恐れがある。この時、室外ユニット１を垂直に吊り上げるには左右のベルトもしくはロープ９の長さを調節する必要があり時間がかかってしまう。また、溝部７ｂの位置を室外ユニット１の重心位置に合わせて形成することでベルトもしくはロープ９の長さを調整することなく垂直に安定して吊り上げることも可能であるが、脚７は一品一様のこの機種専用の部品となってしまい複数機種間での共用化ができなくなる。
【０００７】
上記課題に対して本発明は、上記従来の課題を解決するもので、安価な構成で、フォークリフトによる運搬作業性を損なうことなく、安全にベルトもしくはロープによる吊り上げ搬入が可能で複数機種で使用可能となる信頼性の高い空気調和機の室外ユニットを提供することを目的とするものである。
【課題を解決するための手段】
【０００８】
上記従来の課題を解決するために、本発明の空気調和機の室外ユニットは、筐体下部にフォークリフトのフォークリフト爪を挿入する挿入口を有した一対の脚を備え、前記挿入口の周縁上部に複数の溝部を形成したものである。
【０００９】
これにより、ベルトもしくはロープにより室外ユニットを吊り上げて搬入する際は、室外ユニットの重心位置に合わせて溝部を選択することで吊り上げ時に室外ユニットが傾くことなく垂直姿勢で搬入できるため安全かつ容易に短時間での運搬が可能となる。
【発明の効果】
【００１０】
本発明の空気調和機の室外ユニットは、安価な構成でフォークリフトによる運搬作業性を損なうことなくベルトもしくはロープによる安全な搬入が可能となるものである。
【発明を実施するための最良の形態】
【００１１】
第１の発明は、筐体下部にフォークリフトのフォークリフト爪を挿入する挿入口を有した一対の脚を備え、前記挿入口の周縁上部に複数の溝部を形成することで、フォークリフトによる運搬作業性を損なうことなく、室外ユニットの重心位置が左右に移動していた場合でも、ベルトもしくはロープを引っ掛ける溝部の位置を重心位置に合わせて選択することで室外ユニット吊下げ時に傾くことなく安定するため安全かつ容易に短時間での運搬が可能となる。
【００１２】
第２の発明は、第１の発明の複数の溝部を脚の外側に位置するに従い徐々に溝深さを深くなるように形成したことで、ベルトもしくはロープを外側の溝に引っ掛けた際のベルトもしくはロープの傾斜が大きくなった場合でも、引っ掛かり代が大きくなることでベルトもしくはロープが外れることはない。
【００１３】
第３の発明は、第２の発明の複数の溝部を前記脚の外側に位置するに従い前記溝部の底部を前記脚の内側に向かって傾斜して形成したことで、室外ユニット吊り上げ時にベルトもしくはロープが溝部の傾斜に沿って溝部の奥まで確実に嵌まり込むため外れることがなく、より安定した運搬が可能となる。
【００１４】
以下、本発明の実施の形態について、図面を参照しながら説明する。なお、この実施の形態によって本発明が限定されるものではない。
【００１５】
（実施の形態１）
本発明の実施の形態１における空気調和機の室外ユニットのシャーシ構成は、従来例と同様であるので説明は省略する。また、従来例の形態と同一部分については同一符号を付してその説明を省略する。
【００１６】
図１は、本発明の実施の形態１における空気調和機の室外ユニットの斜視図で、図２は同室外ユニットの脚周辺の正面図である。
【００１７】
図１、図２において、底板６の下面前後に設けた室外ユニット１（筐体）を支える一対の脚７は、室外ユニット１の奥行き方向に運搬のためのフォークリフト爪８を挿入する左右一対のフォークリフト爪挿入穴７ａが形成され、フォークリフト爪挿入穴７ａの周縁上辺には、室外ユニット１を吊り上げるベルトもしくはロープ９を引っ掛け可能な複数の溝部７ｂが所定間隔隔てて形成されている。
【００１８】
以上のように構成された空気調和機において、フォークリフトにより運搬する際は、フォークリフト爪８を挿入口７ａに挿入する。挿入されたフォークリフト爪８は、挿入口７ａの周縁上辺に係り室外ユニット１を持ち上げて運搬が可能となる。次に、ビルの屋上等
高層階への搬入の際は、フォークリフト爪挿入口７ａにベルトもしくはロープ９を通し室外ユニット１を持ち上げるが、この時ベルトもしくはロープ９を溝部７ｂに引っ掛けることでベルトもしくはロープ９がそれぞれ左右にずれることは無い。この時、室外ユニット１の重心の位置が室外ユニット１のほぼ中央部にある場合は、左右対称に位置する溝部７ｂにそれぞれベルトもしくはロープ９を引っ掛けることで室外ユニット１吊り上げ時の重心がずれることがない。また、室外ユニット１の重心の位置が室外ユニット１の左右方向にずれていた場合は、ベルトもしくはロープ９を引っ掛ける溝部７ｂの位置をずらすことで室外ユニット１吊り上げ時の重心がずれることがなく、吊り上げ作業が容易に短時間で且つ安全に行うことが可能となる。
【００１９】
以上のように、本実施の形態によれば、安価な構成で安全にしかも短時間での運搬が可能となるものである。
【００２０】
（実施の形態２）
図３は、本発明の第２の実施の形態における空気調和機の室外ユニットの脚周辺の正面図である。なお、上記実施の形態と同一部分については同一符号を付してその説明を省略する。
【００２１】
本実施の形態では、フォークリフト爪挿入口７ａの周縁上辺に設けた複数の溝部７ｂは、脚７の外側に位置するに従い徐々に溝深さを深くなるように形成されている。これによりベルトもしくはロープ９を外側の溝に引っ掛けた際に、ベルトもしくはロープ９の傾斜角Ａが大きくなった場合でも、溝部７ｂとの引っ掛かり代が大きくなることでベルトもしくはロープ９が外れることがなく、より安全な運搬が可能となるものである。
【００２２】
（実施の形態３）
図４は、本発明の第３の実施の形態における空気調和機の室外ユニットの脚周辺の正面図である。
【００２３】
なお、上記第２の実施の形態と同一部分については同一符号を付してその説明を省略する。
【００２４】
本実施の形態では、フォークリフト爪挿入口７ａの周縁上辺に設けた複数の溝部７ｂは、脚７の外側に位置するに従い溝部７ｂの底部７ｃを脚７の内側に向かって傾斜して形成している。これにより室外ユニット吊り上げ時にベルトもしくはロープ９が溝部７ｂの傾斜に沿って底部７ｃまで確実に嵌まり込むため、ベルトもしくはロープ９の傾斜角Ａの大小にかかわらず外れることは無く、より安全な運搬が可能となるものである。
【産業上の利用可能性】
【００２５】
以上のように、本発明に係る空気調和機の室外ユニットは、安価な構成で、安全かつ確実に、しかも簡単にベルトもしくはロープによる吊り上げ運搬ができるので、作業効率が非常に良く製品の品質も向上する。そのため、空気調和機の室外ユニットだけに限らず、重量物全般に適用できる。
【図面の簡単な説明】
【００２６】
【図１】本発明の実施の形態１における空気調和機の室外ユニットの斜視図
【図２】同室外ユニットの脚周辺の正面図
【図３】本発明の実施の形態２における空気調和機の室外ユニットの脚周辺の正面図
【図４】本発明の実施の形態３における空気調和機の室外ユニットの脚周辺の正面図
【図５】従来の空気調和機の室外ユニットの斜視図
【符号の説明】
【００２７】
１  室外ユニット（筐体）
６  底板
７  脚
７ａ  フォークリフト爪挿入口
７ｂ  溝部
７ｃ  底部
８  フォークリフト爪
９  ロープ
【図１】
2010190436.tif 000003
【図２】
2010190436.tif 000004
【図３】
2010190436.tif 000005
【図４】
2010190436.tif 000006
【図５】
2010190436.tif 000007